(57)【要約】【課題】  利用者に提供するＷｅｂコンテンツの内容を、当該利用者に意識させることなく、その利用環境に応じて変更する。【解決手段】  購買者用端末が所定のＤＮＳサーバを介しインターネットを通じて販売者用サーバにアクセスしたとき、販売者用サーバがアクセスに応じたコンテンツを購買者用端末に送信するＷｅｂコンテンツ提供方法であって、購買者用端末から送られるアクセスに関する情報から、所定のＤＮＳサーバに対応するドメイン名を抽出するドメイン名抽出ステップと、抽出されたドメイン名のトップレベルドメインに応じて、所定のブラウザ表示用言語を検索し、所定のブラウザ表示用言語を含むコンテンツを選択する言語検索ステップと、を備えている。【選択図】    図１
2005216152.tif 000002
【特許請求の範囲】
【請求項１】
購買者用端末が所定のＤＮＳサーバを介しインターネットを通じて販売者用サーバにアクセスしたとき、当該販売者用サーバが当該アクセスに応じたコンテンツを前記購買者用端末に送信するＷｅｂコンテンツ提供方法であって、
前記購買者用端末から送られる前記アクセスに関する情報から、前記所定のＤＮＳサーバに対応するドメイン名を抽出するドメイン名抽出ステップと、
前記抽出されたドメイン名のトップレベルドメインに応じて、所定のブラウザ表示用言語を検索し、当該所定のブラウザ表示用言語を含む前記コンテンツを選択する言語検索ステップと、
を備えたことを特徴とするＷｅｂコンテンツ提供方法。
【請求項２】
前記トップレベルドメイン及び／又は前記購買者に関する情報をデータベースから読み出し、当該情報に応じて、当該購買者に対して販売可能な商品を検索し、前記所定のブラウザ表示用言語を含むコンテンツにおいて、前記販売可能な商品を含む前記コンテンツを更に選択する商品検索ステップを備えたことを特徴とする請求項１に記載のＷｅｂコンテンツ提供方法。
【請求項３】
前記トップレベルドメイン及び／又は前記購買者に関する情報をデータベースから読み出し、当該情報に応じて、当該購買者に対して販売可能な商品を検索し、前記所定のブラウザ表示用言語を含むコンテンツが前記販売可能な商品を含まないとき、前記所定のブラウザ表示用言語による販売不可の旨の情報を有する前記コンテンツを選択する販売不可決定ステップを備えたことを特徴とする請求項１に記載のＷｅｂコンテンツ提供方法。
【請求項４】
前記データベースに記憶された前記購買者に関する情報は、当該購買者の住所を有することを特徴とする請求項２又は３に記載のＷｅｂコンテンツ提供方法。
【請求項５】
所定のＤＮＳサーバを介しインターネットを通じた購買者用端末からのアクセスに応じて当該購買者用端末にコンテンツを送信する方法を、当該コンテンツと、当該コンテンツのブラウザ表示用言語のデータとを記憶するデータベースを備えた販売者用サーバに実行させるＷｅｂコンテンツ提供プログラムであって、
前記購買者用端末から送られる前記アクセスに関する情報から、前記所定のＤＮＳサーバに対応するドメイン名を抽出するドメイン名抽出ステップと、
前記データベースを参照し、前記ドメイン名抽出ステップにおいて抽出されたドメイン名のトップレベルドメインに応じて、所定の前記ブラウザ表示用言語を検索し、当該所定のブラウザ表示用言語を含む前記コンテンツを選択する言語検索ステップと、
を備えたことを特徴とするＷｅｂコンテンツ提供プログラム。
【請求項６】
所定のＤＮＳサーバを介しインターネットを通じた購買者用端末からのアクセスに応じて当該購買者用端末に送信すべきコンテンツと、当該コンテンツのブラウザ表示用言語のデータとを記憶するデータベースを備えた販売者用サーバであって、
前記購買者用端末から送られる前記アクセスに関する情報から、前記所定のＤＮＳサーバに対応するドメイン名を抽出するドメイン名抽出手段と、
前記データベースを参照し、前記ドメイン名抽出手段によって抽出されたドメイン名のトップレベルドメインに応じて、所定の前記ブラウザ表示用言語を検索し、当該所定のブラウザ表示用言語を含む前記コンテンツを選択する言語検索手段と、
を備えたことを特徴とする販売者用サーバ。
【発明の詳細な説明】
【技術分野】
【０００１】
本発明は、例えば電子書籍を販売するためのＷｅｂコンテンツ提供方法、Ｗｅｂコンテンツ提供プログラム、及び販売者用サーバに関する。
【背景技術】
【０００２】
近年、パーソナルコンピュータやＰＤＡ等を通じて閲覧可能な電子書籍が普及してきており、今後は国内だけでなく海外に対する当該電子書籍の販売も増加することが予想されている。
【特許文献１】特開２００１−３０６６５４号公報
【発明の開示】
【発明が解決しようとする課題】
【０００３】
ところで、従来は、海外の利用者が電子書籍の販売サイトへアクセスしたときに、利用者が使用する言語以外の言語によって販売サイトが表示された場合、利用者は販売サイトの内容を閲覧することなく立ち去ることがあった。これは、販売サイトにとっては、販売機会の損失となっていた。また、一般に、美術品に関する書籍等には販売地域の制限が必要な場合がある。従来の電子書籍の販売サイトは、例えば販売禁止地域からのアクセスに対しても、これらの書籍を含むＷｅｂコンテンツを提供してしまう虞があった。もし、海外からの利用者に対応可能で、地域による販売制限が可能なＷｅｂコンテンツを提供しようとすれば、利用者側への負荷が大きくなる虞がある。つまり、利用者は、利用者用端末から販売サイトへのアクセス時に、当該利用者用端末において煩雑な操作を行わなければならない。
【０００４】
そこで本発明は前記課題に鑑みてなされたものであり、利用者に提供するＷｅｂコンテンツの内容を、当該利用者に意識させることなく、その利用環境に応じて変更できるＷｅｂコンテンツ提供方法、Ｗｅｂコンテンツ提供プログラム、及び販売者用サーバを提供することにある。
【課題を解決するための手段】
【０００５】
前記課題を解決する本発明は、購買者用端末が所定のＤＮＳサーバを介しインターネットを通じて販売者用サーバにアクセスしたとき、当該販売者用サーバが当該アクセスに応じたコンテンツを前記購買者用端末に送信するＷｅｂコンテンツ提供方法であって、前記購買者用端末から送られる前記アクセスに関する情報から、前記所定のＤＮＳサーバに対応するドメイン名を抽出するドメイン名抽出ステップと、前記抽出されたドメイン名のトップレベルドメインに応じて、所定のブラウザ表示用言語を検索し、当該所定のブラウザ表示用言語を含む前記コンテンツを選択する言語検索ステップと、を備えたことを特徴とする。
【０００６】
また、かかるＷｅｂコンテンツ提供方法において、前記トップレベルドメイン及び／又は前記購買者に関する情報をデータベースから読み出し、当該情報に応じて、当該購買者に対して販売可能な商品を検索し、前記所定のブラウザ表示用言語を含むコンテンツにおいて、前記販売可能な商品を含む前記コンテンツを更に選択する商品検索ステップを備えたことが好ましい。
【０００７】
また、かかるＷｅｂコンテンツ提供方法において、前記トップレベルドメイン及び／又は前記購買者に関する情報をデータベースから読み出し、当該情報に応じて、当該購買者に対して販売可能な商品を検索し、前記所定のブラウザ表示用言語を含むコンテンツが前記販売可能な商品を含まないとき、前記所定のブラウザ表示用言語による販売不可の旨の情報を有する前記コンテンツを選択する販売不可決定ステップを備えたことが好ましい。
【０００８】
また、かかるＷｅｂコンテンツ提供方法において、前記データベースに記憶された前記購買者に関する情報は、当該購買者の住所を有することが好ましい。
【０００９】
また、所定のＤＮＳサーバを介しインターネットを通じた購買者用端末からのアクセスに応じて当該購買者用端末にコンテンツを送信する方法を、当該コンテンツと、当該コンテンツのブラウザ表示用言語のデータとを記憶するデータベースを備えた販売者用サーバに実行させるＷｅｂコンテンツ提供プログラムであって、前記購買者用端末から送られる前記アクセスに関する情報から、前記所定のＤＮＳサーバに対応するドメイン名を抽出するドメイン名抽出ステップと、前記データベースを参照し、前記ドメイン名抽出ステップにおいて抽出されたドメイン名のトップレベルドメインに応じて、所定の前記ブラウザ表示用言語を検索し、当該所定のブラウザ表示用言語を含む前記コンテンツを選択する言語検索ステップと、を備えたことを特徴とするＷｅｂコンテンツ提供プログラムにかかる。
【００１０】
また、所定のＤＮＳサーバを介しインターネットを通じた購買者用端末からのアクセスに応じて当該購買者用端末に送信すべきコンテンツと、当該コンテンツのブラウザ表示用言語のデータとを記憶するデータベースを備えた販売者用サーバであって、前記購買者用端末から送られる前記アクセスに関する情報から、前記所定のＤＮＳサーバに対応するドメイン名を抽出するドメイン名抽出手段と、前記データベースを参照し、前記ドメイン名抽出手段によって抽出されたドメイン名のトップレベルドメインに応じて、所定の前記ブラウザ表示用言語を検索し、当該所定のブラウザ表示用言語を含む前記コンテンツを選択する言語検索手段と、を備えたことを特徴とする販売者用サーバにかかる。
【発明の効果】
【００１１】
利用者に提供するＷｅｂコンテンツの内容を、当該利用者に意識させることなく、その利用環境に応じて変更できる。
【発明を実施するための最良の形態】
【００１２】
＝＝＝Ｗｅｂコンテンツ提供システムの構成＝＝＝
図１のブロック構成例に示されるように、本実施の形態のＷｅｂコンテンツ提供システム１０は、主として、サービス提供サーバ（販売者用サーバ）３０と、利用者操作端末（購買者用端末）５０、５１、５２とを備えている。サービス提供サーバ３０及び利用者操作端末５０、５１、５２はインターネット７０を通じて接続されている。インターネット７０上のＤＮＳ（Domain Name System）サーバ９０、９１、９２は、利用者操作端末５０、５１、５２がアクセス先のサービス提供サーバ３０のドメイン名に対応するＩＰアドレスを問合わせると当該ＩＰアドレスを通知する機能を有している。
【００１３】
尚、本実施の形態の利用者操作端末５０、５１、５２に実装されるＯＳ（Operating System）には、ＤＮＳサーバ９０、９１、９２を最優先に参照する設定がなされている。
【００１４】
また、本実施の形態のＤＮＳサーバ９０は、トップレベルドメイン（例えば"jp"）以下の階層構造を有する全てのＤＮＳサーバを意味するものとする。
【００１５】
また、図１においては３つの利用者操作端末５０、５１、５２が例示されているが、これに限定されるものではなく、一般に、１つ又は複数の利用者操作端末とこれが最優先に参照するＤＮＳサーバとがインターネット７０に接続されている。
【００１６】
また、本実施の形態のＷｅｂコンテンツ提供システム１０は、サービス提供サーバ３０が、利用者操作端末５０、５１、５２を通じて、利用者に電子書籍を販売するためのＷｅｂシステムである。但し、電子書籍に限定されるものではなく、本実施の形態のＷｅｂコンテンツ提供システム１０は、利用者操作端末５０、５１、５２からのリクエストに応じて様々な商品を販売するＷｅｂシステムであってよい。
【００１７】
サービス提供サーバ３０は、利用者操作端末５０、５１、５２からのアクセスに応じて、所定の言語（ブラウザ表示用言語）で記載され且つ所定の商品の表示情報を含むＷｅｂコンテンツを返信する情報処理装置である。また、サービス提供サーバ３０は、後述する、言語テーブル、利用者情報テーブル（購買者に関する情報）、商品テーブルといったデータを記憶するデータベース３０１と、利用者操作端末５０、５１、５２に返信すべきＷｅｂコンテンツを記憶するデータベース３０３とを備えている。
【００１８】
図２（ａ）に例示されるように、前述した言語テーブルは、一般にＤＮＳサーバ９０、９１、９２に対応するドメイン名のトップレベルドメインと、当該トップレベルドメインに対応する国籍情報と、当該国籍に対応する公用語（"表示言語"）とが、例えばサービス提供サーバ３０によって適宜付与された国籍ＩＤに対応付けられたものである。
【００１９】
図２（ｂ）に例示されるように、前述した利用者情報テーブルは、利用者（購買者）が利用者操作端末５０、５１、５２を通じて予めサービス提供サーバ３０に送信した利用者名や住所等に基づいて、当該サービス提供サーバ３０によって生成されたものである。この利用者情報テーブルでは、例えばサービス提供サーバ３０によって利用者に適宜付与された会員ＩＤに対して、利用者名と、言語テーブル（図２（ａ））にて定義された国籍ＩＤと、利用者の住所とが対応付けられている。
【００２０】
図２（ｃ）に例示されるように、前述した商品テーブルでは、取扱商品の商品名（"小説Ａ"や"小説Ａ（英語）"等）に対して、例えばサービス提供サーバ３０によって当該商品に適宜付与された商品ＩＤが対応付けられている。各商品ＩＤ又は商品には、販売地域としての国籍と、当該販売地域での販売可否の条件と、価格とが対応付けられている。この国籍は、言語テーブル（図２（ａ））にて定義された国籍ＩＤである。同図によれば、例えば"小説Ａ"は、日本においてのみ５００円にて販売可であるが、例えば"小説Ａ（英語）"は、日本及びフランスにおいてのみ、それぞれ５００円及び４ユーロにて販売可である。
【００２１】
図２（ｄ）に例示されるように、前述したＷｅｂコンテンツは、言語テーブル（図２（ａ））にて定義された国籍ＩＤ毎に、利用者操作端末５０、５１、５２のディスプレイに表示されるべきＷｅｂページ（"Content_**.html"）として、当該Ｗｅｂページの更新日時とともにデータベース３０３に記憶されている。ところで、"Content_**.html"における"**"は、例えば"JP"（日本）、"CH"（中国）、"FR"（フランス）、"EN"（日本、中国、フランス以外）である。
【００２２】
＝＝＝Ｗｅｂコンテンツ提供方法＝＝＝
図３及び図５に例示されるフローチャートに基づいて、本実施の形態におけるサービス提供サーバ３０によるＷｅｂコンテンツ提供方法の処理の手順について説明する。尚、本実施の形態の利用者操作端末５０は、図２（ｂ）に示される会員ＩＤ"０００２"（国籍は日本）の利用者が利用する端末とする。同様に、利用者操作端末５１は、会員ＩＤ"０００３"（国籍はフランス）の利用者が利用する端末とし、利用者操作端末５２は、会員ＩＤ"０００４"（国籍はアメリカ）の利用者が利用する端末とする。ここで、何れの端末５０、５１、５２も、その利用者の国に設置されているものとする。
【００２３】
図３に例示されるように、日本在住の利用者は、利用者操作端末５０におけるマウスやキーボード等のユーザインタフェースを操作して、ＷｅｂブラウザのＵＲＬ入力欄に例えば"http://www.ABC.com/"と入力し、所定の送信指示を行う。ここで、本実施の形態の"http://www.ABC.com/"は、サービス提供サーバ３０が提供すべきＷｅｂコンテンツのトップページのＵＲＬである。  
具体的には、利用者操作端末５０は、ＤＮＳサーバ９０に、前記のＵＲＬのドメイン名である"www.ABC.com"に対応するＩＰアドレスの問い合わせを行うと、当該ＤＮＳサーバ９０からサービス提供サーバ３０のＩＰアドレスが返信される。利用者操作端末５０は、このＩＰアドレスを用いて、サービス提供サーバ３０へアクセスする旨のＩＰパケット（アクセスに関する情報）を送信する（Ｓ１０１）。  
このＩＰパケットを受信したサービス提供サーバ３０は、当該ＩＰパケットから利用者操作端末５０のＩＰアドレス（アクセスに関する情報）を抽出する（Ｓ１０２）。  
次に、サービス提供サーバ３０は、例えばnslookupコマンド等を適宜用いて、利用者操作端末５０のＩＰアドレスから、ＤＮＳサーバ９０に対応するドメイン名（例えば"xxx.co.jp"）を抽出する（Ｓ１０３）。  
次に、サービス提供サーバ３０は、データベース３０１に記憶された言語テーブル（図２（ａ））を検索して、トップレベルドメイン（"jp"）に対応付けられた国籍情報（"日本"）を取得する（Ｓ１０４）。
【００２４】
尚、前述したステップＳ１０１乃至Ｓ１０４の処理は、フランス在住の利用者が利用者操作端末５１を用いてサービス提供サーバ３０にアクセスした場合にも同様に行われる。この場合、ＤＮＳサーバ９１に対応するドメイン名は、例えば"xxx.co.fr"である。このドメイン名のトップレベルドメインは"fr"であるから、言語テーブル（図２（ａ））から、国籍情報は"フランス"となる。また、前述したステップＳ１０１乃至Ｓ１０４の処理は、アメリカ在住の利用者が利用者操作端末５２を用いてサービス提供サーバ３０にアクセスした場合にも同様に行われる。この場合、ＤＮＳサーバ９２に対応するドメイン名は、例えば"xxx.co.us"である。このドメイン名のトップレベルドメインは"us"であるから、言語テーブル（図２（ａ））から、国籍情報は"上記以外"となる。
【００２５】
また、本実施の形態においては、サービス提供サーバ３０が備える適宜なＣＰＵと、当該ＣＰＵにステップＳ１０２及びＳ１０３のドメイン名抽出ステップの動作を実行させる適宜なプログラムが、ドメイン名抽出手段に相当する。この適宜なプログラムは、サービス提供サーバ３０の備える適宜な記憶手段に記憶されている。
【００２６】
＜＜＜利用者が日本在住の場合＞＞＞
図４に例示されるように、サービス提供サーバ３０は、データベース３０１に記憶された言語テーブル（図２（ａ））を検索して、国籍情報（"日本"）に対応付けられた言語（日本語）を選択する（Ｓ２０１）。
【００２７】
次に、サービス提供サーバ３０は、日本在住の利用者が利用者操作端末５０を通じてアクセスしたときのアクセスログ等を参照して会員ＩＤ"０００２"（図２（ｂ））を見いだす。次に、サービス提供サーバ３０は、データベース３０１に記憶された利用者情報テーブルを検索して、会員ＩＤ"０００２"に対応する国籍ＩＤ（"００１"（日本））や住所（"Tokyo"）等を取得する（Ｓ２０２）。
【００２８】
次に、サービス提供サーバ３０は、データベース３０１に記憶された商品テーブル（図２（ｃ））を検索し、国籍ＩＤが"００１"（日本）である各商品について、その販売の可否を判断する（Ｓ２０３）。この商品テーブルによれば、商品ＩＤが"０００１"である"小説Ａ"や、商品ＩＤが"０００２"である"小説Ａ（英語）"等が販売可能である。
【００２９】
次に、サービス提供サーバ３０は、ステップＳ２０３で販売可能と判断した商品が、表示すべき全商品を網羅するものであるか否かを判断する（Ｓ２０４）。本実施の形態においては、日本在住の利用者に対しては全商品が販売可能であるため（Ｓ２０４：Ｙ）、サービス提供サーバ３０は、データベース３０３に記憶されたＷｅｂコンテンツ（図２（ｄ））を参照して、日本語で記述された"Content_JP.html"を選択し（Ｓ２０５）、利用者操作端末５０に送信する（Ｓ２０７）。
【００３０】
図５（ａ）に例示されるように、サービス提供サーバ３０のステップＳ２０７の動作により、利用者操作端末５０のディスプレイには全商品（例えば"小説Ａ"や"小説Ａ（英語）"等）が日本語で表示される。
【００３１】
＜＜＜利用者がフランス在住の場合＞＞＞
図４に例示されるように、サービス提供サーバ３０は、データベース３０１に記憶された言語テーブル（図２（ａ））を検索して、国籍情報（"フランス"）に対応付けられた言語（仏語）を選択する（Ｓ２０１）。
【００３２】
次に、サービス提供サーバ３０は、フランス在住の利用者が利用者操作端末５１を通じてアクセスしたときのアクセスログ等を参照して会員ＩＤ"０００３"（図２（ｂ））を見いだす。次に、サービス提供サーバ３０は、データベース３０１に記憶された利用者情報テーブルを検索して、会員ＩＤ"０００３"に対応する国籍ＩＤ（"００３"（フランス））や住所（"Paris"）等を取得する（Ｓ２０２）。
【００３３】
次に、サービス提供サーバ３０は、データベース３０１に記憶された商品テーブル（図２（ｃ））を検索し、国籍ＩＤが"００３"（フランス）である各商品について、その販売の可否を判断する（Ｓ２０３）。この商品テーブルによれば、商品ＩＤが"０００２"である"小説Ａ（英語）"等が販売可能であるが、商品ＩＤが"０００１"である"小説Ａ"等は販売不可である。
【００３４】
次に、サービス提供サーバ３０は、ステップＳ２０３で販売可能と判断した商品が、表示すべき全商品を網羅するものであるか否かを判断する（Ｓ２０４）。本実施の形態においては、フランス在住の利用者に対しては、少なくとも"小説Ａ（英語）"は販売可能であるが、少なくとも"小説Ａ"は販売不可であるため（Ｓ２０４：Ｎ）、サービス提供サーバ３０は、データベース３０３に記憶されたＷｅｂコンテンツ（図２（ｄ））を参照して、仏語で記述され且つ少なくとも"小説Ａ（英語）"が掲載された"Content_FR.html"を選択し（Ｓ２０６）、利用者操作端末５０に送信する（Ｓ２０７）。
【００３５】
図５（ｂ）に例示されるように、サービス提供サーバ３０のステップＳ２０７の動作により、利用者操作端末５１のディスプレイには少なくとも小説Ａ（英語）が仏語で表示される。
【００３６】
＜＜＜利用者がアメリカ在住の場合＞＞＞
図４に例示されるように、サービス提供サーバ３０は、データベース３０１に記憶された言語テーブル（図２（ａ））を検索して、国籍情報（"上記以外"）に対応付けられた言語（英語）を選択する（Ｓ２０１）。
【００３７】
次に、サービス提供サーバ３０は、アメリカ在住の利用者が利用者操作端末５２を通じてアクセスしたときのアクセスログ等を参照して会員ＩＤ"０００４"（図２（ｂ））を見いだす。次に、サービス提供サーバ３０は、データベース３０１に記憶された利用者情報テーブルを検索して、会員ＩＤ"０００４"に対応する国籍ＩＤ（"００４"（アメリカ））や住所（"New York"）等を取得する（Ｓ２０２）。
【００３８】
次に、サービス提供サーバ３０は、データベース３０１に記憶された商品テーブル（図２（ｃ））を検索し、国籍ＩＤが"００４"（アメリカ）である各商品について、その販売の可否を判断する（Ｓ２０３）。本実施の形態の商品テーブルによれば、何れの商品も販売不可である。
【００３９】
次に、サービス提供サーバ３０は、ステップＳ２０３で販売可能と判断した商品が、表示すべき全商品を網羅するものであるか否かを判断する（Ｓ２０４）。当然ながら、アメリカ在住の利用者に対しては、全ての商品は販売不可であるため（Ｓ２０４：Ｎ）、サービス提供サーバ３０は、データベース３０３に記憶されたＷｅｂコンテンツ（図２（ｄ））を参照して、英語で記述された"Content_EN.html"を選択し（Ｓ２０６）、利用者操作端末５０に送信する（Ｓ２０７）。
【００４０】
図５（ｃ）に例示されるように、サービス提供サーバ３０のステップＳ２０７の動作により、利用者操作端末５１のディスプレイには販売不可の旨が英語で表示される。
【００４１】
尚、本実施の形態においては、サービス提供サーバ３０が備える適宜なＣＰＵと、当該ＣＰＵにステップＳ１０４、Ｓ２０１、Ｓ２０５、及びＳ２０６の言語検索ステップの動作を実行させる適宜なプログラムが、言語検索手段に相当する。この適宜なプログラムは、サービス提供サーバ３０の備える適宜な記憶手段に記憶されている。また、本実施の形態においては、サービス提供サーバ３０が備える適宜なＣＰＵによって処理されるステップＳ２０２乃至Ｓ２０６が、商品検索ステップ又は販売不可決定ステップに相当する。
【００４２】
本実施の形態におけるＷｅｂコンテンツ提供方法によれば、利用者が利用者操作端末５０、５１、５２からサービス提供サーバ３０にアクセスしたとき、ディスプレイには、当該利用者の公用語を含むＷｅｂページ（図５）が自動的に表示される。よって、馴染みのない言語故に利用者が閲覧することなくＷｅｂページから立ち去るといった販売機会の損失が回避され、これは、販売促進及び販売地域の拡大につながる。
【００４３】
また、本実施の形態のＷｅｂコンテンツ提供方法によれば、サービス提供サーバ３０は、例えば日本やフランス等に限定して販売すべき商品（"小説Ａ"、小説Ａ（英語））を取り扱うことができるため、当該限定内での販売が促進される。
【００４４】
また、本実施の形態のＷｅｂコンテンツ提供方法によれば、サービス提供サーバ３０は、例えばアメリカで販売禁止されている商品（"小説Ａ"、小説Ａ（英語））を、全ての国に対して取り扱うことができる。つまり、アメリカでは、利用者操作端末５２のディスプレイには販売不可の旨が表示されるが（図５（ｃ））、日本やフランスでは、商品の表示情報を含むＷｅｂコンテンツが表示される（図５（ａ）及び（ｂ））。これにより、小説等に限らず、例えば所定の国や地域等によっては販売禁止されている美術や音楽関連の書籍を取り扱うことができる。
【００４５】
また、本実施の形態のＷｅｂコンテンツ提供方法によれば、地域限定販売の商品の表示情報を含むＷｅｂコンテンツを利用者操作端末５０、５１、５２に送信するか否かを、利用者の住所（例えば図２（ｂ）に例示される"Osaka"、"Tokyo"、"Paris"、"New York"等）に応じて決定することもできる。
【００４６】
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００４７】
前述した実施の形態のサービス提供サーバ３０は、利用者への商品の販売可否まで判断してＷｅｂコンテンツを送信したが、これに限定されるものではなく、例えばＷｅｂコンテンツの言語を決定した時点で当該言語を含むＷｅｂコンテンツを選択し、利用者操作端末５０、５１、５２に送信してもよい。
【図面の簡単な説明】
【００４８】
【図１】本実施の形態のＷｅｂコンテンツ提供システムの構成例を示すブロック図である。
【図２】（ａ）は言語テーブルの一例を示す図表、（ｂ）は利用者情報テーブルの一例を示す図表、（ｃ）は商品テーブルの一例を示す図表、（ｄ）はＷｅｂコンテンツの一例を示す図表である。
【図３】本実施の形態のＷｅｂコンテンツ提供方法の処理の手順を示すフローチャートである。
【図４】本実施の形態のＷｅｂコンテンツ提供方法の処理の手順を示すもう一つのフローチャートである。
【図５】（ａ）は日本におけるディスプレイ表示の一例を示す模式図、（ｂ）はフランスにおけるディスプレイ表示の一例を示す模式図、（ｃ）はアメリカにおけるディスプレイ表示の一例を示す模式図である。
【符号の説明】
【００４９】
１０                Ｗｅｂコンテンツ提供システム
３０                サービス提供サーバ
５０、５１、５２    利用者操作端末
７０                インターネット
９０、９１、９２    ＤＮＳサーバ
３０１、３０３      データベース
【図１】
2005216152.tif 000003
【図２】
2005216152.tif 000004
【図３】
2005216152.tif 000005
【図４】
2005216152.tif 000006
【図５】
2005216152.tif 000007